(57)【要約】      （修正有）【課題】電球の断線を容易に検出可能にした照明制御装置を提供する。【解決手段】出力端子１２と電源端子１０との間に設けられたスイッチング素子Ｔ１と、交流電源に対応してスイッチング素子Ｔ１の導通を制御する負荷制御手段２０とを有し、スイッチング素子Ｔ１の導通タイミングを可変制御することで負荷素子１４への交流電源供給期間を可変制御して調光レベルを制御する照明制御装置である。そして、スイッチング素子Ｔ１の両端の電圧を監視する電圧監視手段１６を有し、負荷制御手段２０は、調光レベルにかかわらずスイッチング素子Ｔ１の導通を強制的に行わない断線検出期間を有する。その時に、負荷素子が断線していればスイッチング素子への電圧印加はなく、負荷素子が断線していなければスイッチング素子への電圧印加があるので、いかなる調光制御中であっても、確実に負荷素子の断線を検出することができる。【選択図】図１
2006179261.tif 000002
【特許請求の範囲】
【請求項１】
交流電源が供給される電源端子と、負荷素子が接続される出力端子と、当該出力端子と電源端子との間に設けられたスイッチング素子と、前記交流電源に対応して前記スイッチング素子の導通を制御する負荷制御手段とを有し、前記スイッチング素子の導通タイミングを可変制御することで前記負荷素子への交流電源供給期間を可変制御して調光レベルを制御する照明制御装置において、
前記負荷制御手段は、調光レベルにかかわらず前記スイッチング素子の導通を強制的に行わない断線検出期間を有することを特徴とする照明制御装置。
【請求項２】
請求項１において、
前記スイッチング素子の両端の電圧を監視する電圧監視手段を有し、
前記断線検出期間を含む断線判定期間において、前記電圧監視手段が少なくとも１回でも電圧印加が検出される場合に負荷素子の非断線状態が検出され、当該断線判定期間において、前記電圧監視手段が電圧印加を検出しない場合に負荷素子の断線状態が検出されることを特徴とする照明制御装置。
【請求項３】
請求項１において、
前記スイッチング素子は、前記負荷制御手段からの導通制御信号に応答して導通状態になり、前記交流電源のゼロクロスに応答して非導通状態になることを特徴とする照明制御装置。
【請求項４】
交流電源が供給される電源端子と、負荷素子が接続される出力端子と、当該出力端子と電源端子との間に設けられたスイッチング素子と、前記交流電源に対応して前記スイッチング素子の導通を制御する負荷制御手段とを有し、前記スイッチング素子の導通タイミングを可変制御することで前記負荷素子への交流電源供給期間を可変制御して調光レベルを制御する照明制御装置において、
前記負荷制御手段は、点灯要求時に、前回の消灯からの経過時間が基準時間より長い場合には、調光レベルを第１の期間で徐々に上げながら点灯制御し、前記前回の消灯からの経過時間が前記基準時間より短い場合は、調光レベルを前記第１の期間より短い期間で上昇させて点灯制御することを特徴とする照明制御装置。
【請求項５】
交流電源が供給される電源端子と、負荷素子が接続される出力端子と、当該出力端子と電源端子との間に設けられたスイッチング素子と、前記交流電源に対応して前記スイッチング素子の導通を制御する負荷制御手段とを有し、前記スイッチング素子の導通タイミングを可変制御することで前記負荷素子への交流電源供給期間を可変制御して調光レベルを制御する照明制御装置において、
前記負荷制御手段は、点灯要求時に、周囲の照度に応じて、調光レベルを第１の期間で徐々に上げながら点灯制御、または、調光レベルを前記第１の期間より短い期間で上昇させて点灯制御のいずれかを行うことを特徴とする照明制御装置。
【発明の詳細な説明】
【技術分野】
【０００１】
本発明は、照明制御装置に関し、特に、電球の断線を検出することができる照明制御装置に関する。
【背景技術】
【０００２】
白熱電球などの電球の照度を制御する調光制御装置は、従来からトライアックやサイリスタなどのスイッチング素子を利用して実現されている。例えば、電球にトライアックを接続した直列回路の両端に商用交流電源を接続し、トライアックのゲートパルスを交流電源の正負電圧に同期して供給して当該トライアックをオンさせ、そのゲートパルスの供給タイミングを変えることで電球が点灯している時間を調整する。
【０００３】
また、冷陰極放電管の多階調輝度制御を可能にする駆動回路が提案されている（例えば、特許文献１）。更に、恒温槽のヒータの断線を検出する断線警報器が提案されている（例えば、特許文献２）。そして、照明装置の不完全接触により端子部が加熱するルーズコンタクトモードを防止することができる照明装置が提案されている。
【特許文献１】特開平７−１０６０８９号公報
【特許文献２】特開平１１−８３９２７号公報
【特許文献３】特開平９−２０４９８７号公報
【発明の開示】
【発明が解決しようとする課題】
【０００４】
上記の調光制御装置に、電球の断線の有無を検出する機能を付加することが求められている。例えば、負荷である電球の断線を検出するためには、負荷の電流の有無を検出すれば良いが、消灯状態や０％調光状態にある電球に対してはそもそも電流を流さないので、負荷の電流の有無からはその断線状態を検出することができない。自動車のストップランプのように常時微少電流を流して、負荷の電流の有無を監視する方法も考えられるが、省エネルギーの観点から望ましくない。また、スイッチング素子の両端の電圧を監視することで、電球が断線した時にスイッチング素子に印加される電圧がゼロになることを検出する方法もあるが、１００％調光時にはスイッチング素子自体が常時導通状態にあり、常時導通状態では電球が断線の有無にかかわらずスイッチング素子には電圧が印加されず、断線状態を検出することができない。
【０００５】
そこで、本発明の目的は、電球の断線を容易に検出可能にした照明制御装置を提供することにある。
【課題を解決するための手段】
【０００６】
上記目的を達成するために、本発明の第１の側面によれば、交流電源が供給される電源端子と、負荷素子が接続される出力端子と、当該出力端子と電源端子との間に設けられたスイッチング素子と、前記交流電源に対応して前記スイッチング素子の導通を制御する負荷制御手段とを有し、前記スイッチング素子の導通タイミングを可変制御することで前記負荷素子への交流電源供給期間を可変制御して調光レベルを制御する照明制御装置であって、前記負荷制御手段は、調光レベルにかかわらず前記スイッチング素子の導通を強制的に行わない断線検出期間を有することを特徴とする。
【０００７】
上記の側面において、より好ましい実施例では、前記スイッチング素子の両端の電圧を監視する電圧監視手段を有し、前記断線検出期間を含む断線判定期間において、前記電圧監視手段が少なくとも１回でも電圧印加が検出される場合に負荷素子の非断線状態が検出され、当該断線判定期間において、前記電圧監視手段が電圧印加を検出しない場合に負荷素子の断線状態が検出される。
【０００８】
また、本発明の別の側面によれば、交流電源が供給される電源端子と、負荷素子が接続される出力端子と、当該出力端子と電源端子との間に設けられたスイッチング素子と、前記交流電源に対応して前記スイッチング素子の導通を制御する負荷制御手段とを有し、前記スイッチング素子の導通タイミングを可変制御することで前記負荷素子への交流電源供給期間を可変制御して調光レベルを制御する照明制御装置であって、前記負荷制御手段は、点灯要求時に、前回の消灯からの経過時間が基準時間より長い場合には、調光レベルを第１の期間で徐々に上げながら点灯制御し、前記前回の消灯からの経過時間が前記基準時間より短い場合は、調光レベルを前記第１の期間より短い期間で上昇させて点灯制御することを特徴とする。
【０００９】
更に、本発明の別の側面によれば、交流電源が供給される電源端子と、負荷素子が接続される出力端子と、当該出力端子と電源端子との間に設けられたスイッチング素子と、前記交流電源に対応して前記スイッチング素子の導通を制御する負荷制御手段とを有し、前記スイッチング素子の導通タイミングを可変制御することで前記負荷素子への交流電源供給期間を可変制御して調光レベルを制御する照明制御装置において、前記負荷制御手段は、点灯要求時に、周囲の照度に応じて、調光レベルを第１の期間で徐々に上げながら点灯制御、または、調光レベルを前記第１の期間より短い期間で上昇させて点灯制御のいずれかを行うことを特徴とする照明制御装置。
【発明の効果】
【００１０】
上記の発明の第１の側面によれば、いかなる調光レベルであっても、断線検出期間におけるスイッチング素子の両端の電圧の有無をチェックすることにより負荷素子の断線状態を確実に検出することができる。よって、人手によるチェックを必要とせずに負荷素子の断線状態を検出することができ、照明制御装置の付加価値を高めることができる。
【００１１】
また、上記の発明の別の側面によれば、点灯要求時の点灯制御を、最適な態様で行うことが可能になる。
【発明を実施するための最良の形態】
【００１２】
以下、図面にしたがって本発明の実施の形態について説明する。但し、本発明の技術的範囲はこれらの実施の形態に限定されず、特許請求の範囲に記載された事項とその均等物まで及ぶものである。
【００１３】
図１は、本実施の形態の照明制御装置の回路図である。この照明制御装置は、商用交流電源が供給される電源端子１０と、負荷である白熱電球が接続される出力端子１２と、出力端子１２と電源端子１０との間に設けられるスイッチング素子Ｔ１とを有する。このスイッチング素子Ｔ１は、例えばトライアックなどの双方向のスイッチング素子、或いは、サイリスタを逆方向に並列に接続した素子で構成される。照明制御装置は、更に、スイッチング素子Ｔ１の導通タイミングを可変制御する負荷制御手段としての調光制御回路２０を有する。この調光制御回路２０は、電源端子１０に接続されたゼロクロス点検出手段２２からのゼロクロス点検出信号ｉｎを入力し、そのタイミングに同期して、スイッチング素子を導通させる出力信号ｏｕｔをゲート信号生成手段１９に出力し、スイッチング素子Ｔ１を導通させる。
【００１４】
ゼロクロス点検出手段２２は、抵抗Ｒ１，Ｒ２に接続される双方向の発光素子（例えばＬＥＤ）と、抵抗Ｒ３に接続される受光素子とからなるフォトリレー素子からなり、電源端子１０に印加される商用交流電源が正または負電圧の期間は発光素子が発光して、受光素子を導通させ、入力ｉｎをＬレベルにし、商用交流電源がゼロクロスを通過するときに発光素子の発光が停止し、受光素子が非導通となり、入力ｉｎをＨレベルにする。つまり、入力ｉｎが交流電源のゼロクロスタイミングを通知する信号になる。
【００１５】
また、ゲート信号生成手段１８は、抵抗Ｒ４に接続される発光素子と、抵抗Ｒ５，Ｒ６に接続される双方向の受光素子とを有するフォトリレー素子からなり、出力信号ｏｕｔに応答して、スイッチング素子Ｔ１のゲート端子Ｇにゲート信号を供給する。トライアックからなるスイッチング素子Ｔ１は、ゲート信号に応答して、導通状態になり、交流電源のゼロクロス時に非導通状態になる。ゼロクロス点検出手段２２とゲート信号生成手段１８は、いずれも、商用交流電源（例えば５０Ｈｚ、１００Ｖ）と、調光制御回路２０の直流電源Ｖcc（例えば、直流５Ｖ）とを絶縁するために、フォトリレー素子で構成されている。そして、調光制御回路２０は、例えば５Ｖの直流電源Ｖｃｃにより動作するマイクロコンピュータからなる。
【００１６】
この照明制御回路では、ゼロクロス点検出手段２２からのゼロクロス点検出信号ｉｎに応答して、調光制御回路２０が導通制御用の出力信号パルスｏｕｔを所定のタイミングで出力し、それに応答して、ゲート信号生成手段１８がゲート信号を生成し、トライアックからなるスイッチング素子Ｔ１を導通させる。スイッチング素子Ｔ１が導通している間、負荷素子である電球１４に交流電源による電流が供給されて電球１４が点灯する。そして、交流電源がゼロクロス点に達するとトライアックはオフ状態となり、電球１４は自動的に消灯する。また、次の期間において、新たに出力信号ｏｕｔが生成されると電球１４は点灯し、次の交流電源のゼロクロス点に達するまで点灯を継続する。このように、スイッチング素子Ｔ１は、交流電源の半周期毎に、調光制御回路２０の出力信号ｏｕｔからそれに続くゼロクロス点までの期間で導通し、その期間において電球１４を点灯させる。したがって、調光制御回路２０の出力信号ｏｕｔのタイミングを早くすれば点灯期間を長くして、調光レベルを上げることができ、タイミングを遅くすれば点灯期間を短くして、調光レベルを下げることができる。よって、この出力信号ｏｕｔのタイミングを可変制御することにより、負荷素子である電球の点灯期間の長短を制御し、調光制御を行うことができる。
【００１７】
本実施の形態では、スイッチング手段Ｔ１の両端の電圧を監視する電圧監視手段１６を有する。この電圧監視手段１６は、スイッチング手段Ｔ１の両端間に抵抗Ｒ７，Ｒ８を介して接続される双方向の発光素子と、その発光素子からの受光に応答して断線検出信号Ｓ１６を生成する受光素子とで構成されるフォトリレー素子で構成される。受光素子には抵抗Ｒ９を介して直流電源Ｖｃｃが接続され、受光素子が受光して導通すると、抵抗Ｒ９に電流が流れてＬレベルを出力する。フォトリレー素子の出力はインバータ１７により反転されて断線検出パルスＳ１６が生成され、マイクロコンピュータである調光制御回路２０の割り込み入力端子ｉｎｔに与えられる。したがって、スイッチング手段Ｔ１間に電圧が印加されると、インバータ１７がＨレベルの断線検出信号Ｓ１６を出力する。
【００１８】
そして、負荷素子である電球１４の断線状態を検出可能にするために、調光制御を行う調光制御回路２０が、調光レベルにかかわらず前記スイッチング素子の導通を強制的に行わない断線検出期間を有する。すなわち、商用交流電源は、５０Ｈｚ（または６０Ｈｚ）の周波数を有し、調光制御回路２０は、半周期である１０ｍｓｅｃ毎にゼロクロス点検出信号ｉｎを受信する。そして、調光制御回路２０は、ゼロクロス点検出信号ｉｎに応答して、調光レベルに対応するタイミングで、出力信号ｏｕｔを出力する。但し、いかなる調光レベルであっても、調光制御回路２０は、上記ゼロクロス点の周期よりも大きな周期で、前記出力信号ｏｕｔを出力しない断線検出期間を有する。この断線検出期間において出力信号ｏｕｔが出力されず、その期間はスイッチング手段Ｔ１が強制的に非導通状態にされ、いかなる調光レベルであっても、必ずスイッチング手段Ｔ１の両端に電圧が印加されうる状態、つまり、電圧監視手段１６に電圧が印加されうる状態が生成される。
【００１９】
そこで、負荷素子である電球１４が導通状態にあれば、上記断線検出期間においてスイッチング手段Ｔ１の両端に電圧が印加され、電圧監視手段１６がその電圧を検出し、発光素子が発光し受光素子が導通し、断線検出信号Ｓ１６をＨレベルにする。一方、負荷素子である電球１４が断線状態であれば、上記断線検出期間においてスイッチング手段Ｔ１の両端には電圧は印加されないので、電圧監視手段１６は電圧印加を検出せず、発光素子は発光せず受光素子も導通せず、断線検出信号Ｓ１６をＬレベルに維持する。交流電源がゼロクロス点近傍にあるときは、スイッチング素子Ｔ１への印加電圧が低く、電圧監視手段１６は断線検出信号Ｓ１６をＬレベルの状態にするが、断線検出期間において電球１４が導通状態にあれば電圧印加を検出して断線検出信号Ｓ１６をＨレベルにするが、電球１４が非導通状態であれば電圧印加を検出できず断線検出信号Ｓ１６をＬレベルのままにする。
【００２０】
以下、本実施の形態における照明制御回路の動作を、調光レベル毎に説明する。図２は、調光レベル０％の時の動作波形図である。図中、横軸は時間であり、左側に電球が正常状態の動作を、右側に電球が断線状態の動作を示す。まず、電源端子ＡＣＩＮに供給される商用交流電源は、５０Ｈｚの１００Ｖ交流電源である。図示しないが、この交流電源ＡＣＩＮがゼロクロスを通過するたびに、つまり半周期毎に、調光制御回路２０にゼロクロス点検出信号ｉｎが供給される。そして、調光レベル０％であるので、このゼロクロス点検出信号ｉｎに応答して出力信号ｏｕｔが生成されることはない。それに伴い、スイッチング手段Ｔ１は導通することはなく、常に非導通状態に制御される。
【００２１】
左側の電球正常状態において、スイッチング手段Ｔ１が非導通であるので、印加される交流電圧は、低抵抗の電球１４には印加されず、高抵抗のスイッチング手段Ｔ１に印加される。したがって、電圧監視手段１６の発光素子の両端の監視電圧は、入力交流電圧と同じになり、監視電圧が発光素子の閾値レベルを超える期間、発光素子が発光し、断線検出信号Ｓ１６がＨレベルになる。但し、監視電圧がゼロクロスになる前後において、発光素子が非発光状態になり、断線検出信号Ｓ１６はＬレベルになる。つまり、断線検出信号Ｓ１６は入力交流信号の半周期毎にＨレベルになる。
【００２２】
一方、右側の電球断線状態において、スイッチング手段Ｔ１には電圧は印加されず、電圧監視手段１６の発光素子の両端の監視電圧は、ゼロになる。したがって、断線検出信号Ｓ１６はＬレベルに維持される。
【００２３】
図３は、調光レベル１０％の時の動作波形図である。この図においても、左側に電球が正常状態の動作を、右側に電球が断線状態の動作を示す。調光レベル１０％であるので、調光制御回路２０は、ゼロクロス点検出信号ｉｎに応答して、出力信号ｏｕｔを所定の遅いタイミングでＨレベルにする。この出力信号ｏｕｔのＨレベルに応答して、スイッチング手段Ｔ１のゲートパルスが生成され、スイッチング手段Ｔ１が導通する。そして、導通した後の交流電源のゼロクロス点でスイッチング手段Ｔ１が非導通となる。したがって、負荷である電球１４への負荷電圧ＡＣＯＵＴは、図示されるとおり、交流電源の半周期の最後の期間において、電力供給可能状態になる。
【００２４】
そこで、左側の電球正常状態において、スイッチング手段Ｔ１が導通する短い期間において、負荷電圧ＡＣＯＵＴが発生し、それ以外の期間は、スイッチング手段Ｔ１が非導通となり、監視電圧が電圧監視手段１６に印加される。それに伴い、Ｈレベルの断線検出信号Ｓ１６が生成される。一方、右側の電球断線状態において、スイッチング手段Ｔ１が導通と非導通とに制御されるが、電球１４が断線状態であるので、スイッチング手段Ｔ１には電圧印加はなく、監視電圧はゼロになる。したがって、電球１４が断線状態の時は、断線検出信号Ｓ１６はＨレベルにはならない。
【００２５】
なお、本実施の形態では、負荷制御手段である調光制御回路２０が、調光レベルにかかわらずスイッチング素子Ｔ１の導通を強制的に行わない断線検出期間ＴＸを有する。この断線検出期間ＴＸは、調光レベルへの影響を最小限にするために、比較的長い周期に１回の頻度で発生し、その断線検出期間ＴＸでは、調光制御回路２０は出力信号ｏｕｔを出力しない。本実施の形態では、交流電源の１つの半周期の期間において出力信号ｏｕｔが出力されず、スイッチング手段Ｔ１がオフの状態にされる。この断線検出期間ＴＸは、例えば、５０Ｈｚの交流電源に対して、数秒に１回の頻度で設けられる。
【００２６】
この断線検出期間ＴＸでは、スイッチング手段Ｔ１が導通しないので、電球正常状態では、図中１００に示すとおり監視電圧が交流電源と同じになり、それに対応して断線検出信号Ｓ１６が生成される。また、電球断線状態では、スイッチング手段Ｔ１が導通しなくても、監視電圧はゼロであるので、断線検出信号Ｓ１６は生成されない。
【００２７】
図４は、調光レベル５０％の時の動作波形図である。この図においても、左側に電球が正常状態の動作を、右側に電球が断線状態の動作を示す。調光レベル１０％の図３と同様の動作であるが、調光レベルが５０％と高いので、調光制御回路２０の出力信号ｏｕｔの立ち上がりタイミングがより早くなっている。それに伴い、負荷電圧と監視電圧との割合が異なっている。それ以外は、図３と同じである。
【００２８】
図４において、断線検出期間ＴＸにおいて出力信号ｏｕｔが出力されないので、その期間ＴＸでは、電球正常状態では監視電圧が交流電圧と等しくなり、電球断線状態では監視電圧はゼロになる。それに伴い、断線検出信号Ｓ１６は、電球正常状態ではＨレベルとなり、電球断線状態ではＬレベルのままとなる。
【００２９】
図５は、調光レベル９０％の時の動作波形図である。この図も、調光レベル１０％の図３及び調光レベル５０％の図４と同様の動作である。但し、調光レベルが９０％と高いので、調光制御回路２０の出力信号ｏｕｔの立ち上がりタイミングは、交流電源ＡＣＩＮのゼロクロス点のすぐ後に制御されている。そのため、電球正常状態における負荷電圧ＡＣＯＵＴは、長い期間にわたり交流電源ＡＣＩＮと同じになり、電球１４は長い期間点灯し、調光レベル９０％を実現する。
【００３０】
一方、電圧監視手段１６に印加される監視電圧は、図示されるように、電球正常状態では、わずかな期間のみ交流電圧が印加されるだけであり、断線検出信号Ｓ１６は、短いＨレベルパルスになる。しかし、断線検出期間ＴＸでは、スイッチング手段Ｔ１が強制的に非導通に制御されるので、電球正常状態では、交流電源と同じ電圧が印加される（図中１００）。それにより、断線検出信号Ｓ１６は、ほぼ半周期の期間Ｈレベルとなる。一方で、電球が断線状態であると、スイッチング手段Ｔ１には電圧印加はなく、スイッチング手段Ｔ１の状態にかかわらず、監視電圧がゼロであるので、断線検出信号Ｓ１６はＬレベルのままとなる。
【００３１】
図５に示されるとおり、調光レベルが高くなると、電球が正常状態であっても監視電圧は短い期間のみしか発生しないので、断線検出信号Ｓ１６のパルス幅は短くなる。しかし、断線検出期間ＴＸにおいてスイッチング手段Ｔ１を強制的に非導通状態にするので、電球正常状態であれば、その間に監視電圧が発生し、断線検出信号Ｓ１６のパルス幅は十分長くなる。よって、マイクロコンピュータで構成される調光制御回路２０の割り込み信号端子ｉｎｔで、適切に断線検出信号Ｓ１６のＨレベルを検出することができる。
【００３２】
図６は、調光レベル１００％の時の動作波形図である。調光レベル１００％とは、スイッチング手段Ｔ１が常に導通状態に維持されることを意味する。つまり、調光制御回路２０は、出力信号ｏｕｔを常にＨレベルに維持し、入力交流電源ＡＣＩＮが全て負荷素子の電球１４に印加されるように制御する。その結果、スイッチング手段Ｔ１の抵抗は常にゼロまたは微少レベルとなり、電球が正常状態であっても断線状態であっても、入力交流電源ＡＣＩＮがそのまま負荷電圧ＡＣＯＵＴとなり、監視電圧は常にゼロになる。
【００３３】
しかしながら、本実施の形態では、適切な周期で断線検出期間ＴＸを設け、その期間ＴＸでは出力信号ｏｕｔがＬレベルにされ、スイッチング手段Ｔ１が強制的に非導通状態にされる。それにより、電球正常状態では、図中１００に示されるとおり、電圧監視手段１６に印加される監視電圧が入力交流電源と同じになり、断線検出信号Ｓ１６がＨレベルになる。一方、電球断線状態では、図中２００に示されるとおり、電圧監視手段１６には電圧が印加されず、断線検出信号Ｓ１６はＬレベルに維持される。したがって、断線検出期間ＴＸを含む断線判定期間Ｔｙにおいて断線検出信号Ｓ１６がＨレベルになるか否かをチェックすることで、負荷素子である電球の断線状態を検出することができる。しかも、調光レベル１００％では、断線検出期間ＴＸを除いては入力交流電源ＡＣＩＮを全て電球への負荷電圧ＡＣＯＵＴとすることができ、定格電源をほぼ最大限負荷素子に印加することができ、エネルギー効率を高くすることができる。
【００３４】
本実施の形態では、図１に示したとおり、断線検出信号Ｓ１６がマイクロコンピュータである調光制御回路２０の割り込み信号端子ｉｎｔに供給される。調光制御回路２０では、少なくとも断線検出期間ＴＸを含む断線判定期間Ｔｙの間、割り込み信号端子ｉｎｔをイネーブル状態にし、その間にＨレベルに立ち上がるエッジ信号が入力されるか否かをチェックする。そのため、中間的な調光レベルの場合は、例えば図４に示されるように、断線検出期間ＴＸを含む前後の半周期の期間からなる断線判定期間Ｔｙを設定すると、監視電圧が発生して断線検出信号Ｓ１６が少なくとも１回でも立ち上がりエッジ信号を発生すると、調光制御回路２０は、電球正常状態を検出する。また、１回でも立ち上がりエッジ信号が発生しないと、調光制御回路２０は、電球断線状態を検出する。図２，３，５の調光レベル０％、１０％、９０％の場合も同様にして電球断線状態を検出する。また、調光レベル１００％の時は、図６に示されるとおり、調光判定期間Ｔｙにおいて、電球正常状態であれば、１回の立ち上がりエッジを検出して断線なしと判定し、電球断線状態であれば、１回も立ち上がりエッジを検出せずに断線ありと判定する。したがって、この調光判定期間Ｔｙは、調光検出期間ＴＸと厳格に一致させても良いが、上記のように、調光検出期間ＴＸを含む少し長い期間にすることができ、調光制御回路２０内の割り込み検出動作を簡単化することができる。
【００３５】
以上の実施の形態によれば、調光レベルにかかわらず、負荷素子である電球の断線状態を確実に検出することができる。したがって、例えば、劇場内の照明装置においてどの電球が断線状態にあるかを自動的に検出することができる。調光制御回路２０が断線状態を検出した場合は、図示しない制御パネル上に断線状態を表示するようにすることで、制御パネル上で電球断線を検知することができ、電球の取り替えを適切に行うことができる。
【００３６】
図７は、別の実施の形態における照明の点灯開始制御を示すフローチャート図である。上記の発明において、マイクロコンピュータを利用した調光制御回路２０による調光制御機能を利用して、点灯開始時の改良された制御について説明する。図７（１）は、消灯後から経過した時間の長さに応じて、点灯開始制御を異ならせる一例である。この点灯開始制御では、点灯指令を受けたときに、消灯後所定の時間以上経過している場合は（S100のYES）、周囲が暗い場合を想定して、徐々に照度を上げるように調光制御して点灯を行う（S102）。つまり、調光制御回路２０は、調光％をゼロ％から１００％に上げるように、出力信号outの出力タイミングを遅いタイミングから徐々に早くするように制御する。これにより、そこに居る人の目に点灯によるストレスをかけないようにする。また、消灯後、所定の時間以上経過していない場合は（工程S100のNO）、そこに居る人の目が明るい状態に慣れていると想定して、短時間で点灯するように調光制御して点灯を行う（S204）。
【００３７】
図７（２）は、別の点灯開始制御の例であり、周囲の明るさに応じて、点灯開始制御を異ならせる例である。点灯指令を受けたときに、別途取り付けた照度センサからのセンサ出力により周囲の照度が明るいか否かをチェックし（S200）、周囲の照度が明るい場合は、そこに居る人は明るい状態になれていると想定して、短時間で点灯するように調光制御して点灯を行う（S202）。また、周囲の照度が暗い場合は、そこに居る人は暗い状態になれていると想定して、徐々に照度を上げるように調光制御して点灯する（S204）。
【００３８】
図７（２）の点灯開始制御方法は、周囲の照度に応じて、工程S202とS204とを逆にしても良い。つまり、点灯指令を受けた時に、周囲の照度が高ければ徐々に照度を上げるよう調光制御して点灯して照度の急変を感じさせないようにし、周囲の照度が低ければ、明るくなることを予測していると想定して、短時間で照度を上げて点灯する。
【００３９】
上記の３つの点灯制御例を、利用者が事前にカスタマイズできるようにしても良いし、点灯制御する場所、環境、用途に応じてカスタマイズするようにしても良い。いずれにしても、調光制御機能を利用することにより、第１の実施の形態のように、電球の断線状態を自動的に検出することができると共に、所定の条件に応じて異なる点灯開始制御を行うこともできる。
以上の実施の形態をまとめると以下の付記の通りである。
【００４０】
（付記１）交流電源が供給される電源端子と、負荷素子が接続される出力端子と、当該出力端子と電源端子との間に設けられたスイッチング素子と、前記交流電源に対応して前記スイッチング素子の導通を制御する負荷制御手段とを有し、前記スイッチング素子の導通タイミングを可変制御することで前記負荷素子への交流電源供給期間を可変制御して調光レベルを制御する照明制御装置において、
前記負荷制御手段は、調光レベルにかかわらず前記スイッチング素子の導通を強制的に行わない断線検出期間を有することを特徴とする照明制御装置。
【００４１】
（付記２）付記１において、
前記スイッチング素子の両端の電圧を監視する電圧監視手段を有し、
前記断線検出期間を含む断線判定期間において、前記電圧監視手段が少なくとも１回でも電圧印加が検出される場合に負荷素子の非断線状態が検出され、当該断線判定期間において、前記電圧監視手段が電圧印加を検出しない場合に負荷素子の断線状態が検出されることを特徴とする照明制御装置。
【００４２】
（付記３）付記１において、
前記スイッチング素子は、前記負荷制御手段からの導通制御信号に応答して導通状態になり、前記交流電源のゼロクロスに応答して非導通状態になることを特徴とする照明制御装置。
【００４３】
（付記４）付記３において、
前記負荷制御手段は、前記導通制御信号を、前記交流電源のゼロクロスから所定時間後に出力し、当該負荷制御手段は、前記所定時間を長くすることで調光レベルを下げ、短くすることで調光レベルを上げるよう制御することを特徴とする照明制御装置。
【００４４】
（付記５）交流電源が供給される電源端子と、負荷素子が接続される出力端子と、当該出力端子と電源端子との間に設けられたスイッチング素子と、前記交流電源に対応して前記スイッチング素子の導通を制御する負荷制御手段とを有し、前記スイッチング素子の導通タイミングを可変制御することで前記負荷素子への交流電源供給期間を可変制御して調光レベルを制御する照明制御装置において、
前記負荷制御手段は、点灯要求時に、前回の消灯からの経過時間が基準時間より長い場合には、調光レベルを第１の期間で徐々に上げながら点灯制御し、前記前回の消灯からの経過時間が前記基準時間より短い場合は、調光レベルを前記第１の期間より短い期間で上昇させて点灯制御することを特徴とする照明制御装置。
【００４５】
（付記６）交流電源が供給される電源端子と、負荷素子が接続される出力端子と、当該出力端子と電源端子との間に設けられたスイッチング素子と、前記交流電源に対応して前記スイッチング素子の導通を制御する負荷制御手段とを有し、前記スイッチング素子の導通タイミングを可変制御することで前記負荷素子への交流電源供給期間を可変制御して調光レベルを制御する照明制御装置において、
前記負荷制御手段は、点灯要求時に、周囲の照度に応じて、調光レベルを第１の期間で徐々に上げながら点灯制御、または、調光レベルを前記第１の期間より短い期間で上昇させて点灯制御のいずれかを行うことを特徴とする照明制御装置。
【図面の簡単な説明】
【００４６】
【図１】本実施の形態の照明制御装置の回路図である。
【図２】調光レベル０％の時の動作波形図である。
【図３】調光レベル１０％の時の動作波形図である。
【図４】調光レベル５０％の時の動作波形図である。
【図５】調光レベル９０％の時の動作波形図である。
【図６】調光レベル１００％の時の動作波形図である。
【図７】別の実施の形態における照明の点灯開始制御を示すフローチャート図である。
【符号の説明】
【００４７】
１０：電源端子、１２：出力端子、Ｔ１：スイッチング素子、１６：電圧監視手段
２０：負荷制御手段（調光制御回路）、ｏｕｔ：導通制御信号、Ｓ１６：断線検出信号
【図１】
2006179261.tif 000003
【図２】
2006179261.tif 000004
【図３】
2006179261.tif 000005
【図４】
2006179261.tif 000006
【図５】
2006179261.tif 000007
【図６】
2006179261.tif 000008
【図７】
2006179261.tif 000009